(57)【特許請求の範囲】
【請求項１】
扉に設ける座と、この座の前方に設ける把手とを備え、把手の開扉方向への押し又は引き操作によりラッチ錠が解錠され、そのまま把手の押し又は引き操作によって扉が開放されるようにしたプッシュ・プル式の把手錠において、
前記把手の背面側には、把手軸の後端部嵌装用の穴を形成した基部が突設してあると共に、前記把手軸は、後端部から先端部に至る棒状体で形成し、
把手軸の後端部は、把手の嵌装用の穴に嵌装して把手と一体的に固定し、
該把手軸の軸線方向の適所には、略球形状または円盤状の膨出部の軸部を形成すると共に、
前記座の背面側に形成した嵌装凹部には、前記把手軸の膨出部である軸部を嵌合して保持する第一軸受及び第二軸受を嵌装してあり、
前記把手軸の先端部は、ラッチ錠の錠ケース内に設けられて、後述する施解錠部材である第一作動部材と第二作動部材とで形成される係合穴内に臨ませてあり、
また、前記施解錠部材は、前記第一作動部材と、該第一作動部材に一体に設けられた第一スライダーと、前記第二作動部材と、該第二作動部材に一体に設けられた第二スライダーとで構成され、
把手の操作により把手軸の先端部を作動して、第一作動部材と第一スライダー、又は第二作動部材と第二スライダーを摺動することにより、前記第一スライダーに係合している第一施錠部材と第二施錠部材を係合解除方向へ回転して、両第一施錠部材と第二施錠部材の施錠部とラッチの係合溝との係合が解除され、ラッチ錠が解錠されるようにしてあり、
把手と把手軸の軸線との交点を中心にして３６０°任意の方向への押し又は引き操作による把手の揺動により、前記把手軸の先端部を傾動してラッチ錠の作動部材を作動して、把手が保持部を支点にして３６０°任意の方向に揺動可能に設けられていることを特徴とする把手錠。
【請求項２】
扉に設ける座と、この座の前方に設ける把手とを備え、把手の開扉方向への押し又は引き操作によりラッチ錠が解錠され、そのまま把手の押し又は引き操作によって扉が開放されるようにしたプッシュ・プル式の把手錠において、
前記把手の背面側には、把手軸の後端部嵌装用の穴を形成した矩形状の基部が突設してあると共に、前記把手軸は、後端部から先端部に至る棒状体で形成し、
把手軸の後端部は、把手の嵌装用の穴に嵌装して把手と一体的に固定し、
該把手軸の軸線方向の適所には、略球形状の膨出部と、該膨出部の中央部に把手軸の軸線と直交する方向に設けた断面が矩形状の鍔部とを有する軸部を形成すると共に、
前記座の背面側に形成した嵌装凹部には、前記把手軸の軸部を嵌合して保持する第一軸受及び第二軸受を嵌装してあり、
前記把手軸の先端部は、ラッチ錠の錠ケース内に設けられて、後述する施解錠部材である第一作動部材と第二作動部材とで形成される係合穴内に臨ませてあり、
また、前記施解錠部材は、前記第一作動部材と、該第一作動部材に一体に設けられた第一スライダーと、前記第二作動部材と、該第二作動部材に一体に設けられた第二スライダーとで構成され、
把手の操作により把手軸の先端部を作動して、第一作動部材と第一スライダー、又は第二作動部材と第二スライダーを摺動することにより、前記第一スライダーに係合している第一施錠部材と第二施錠部材を係合解除方向へ回転して、両第一施錠部材と第二施錠部材の施錠部とラッチの係合溝との係合が解除され、ラッチ錠が解錠されるようにしてあり、
前記把手と把手軸の軸線との交点を中心にして把手の上下、左右あるいは左右の斜め方向への押し又は引き操作による把手の揺動により、前記把手軸の先端部を傾動してラッチ錠の作動部材を作動して、把手が保持部を支点にして上下、左右あるいは左右の斜め方向に揺動可能に設けられていることを特徴とする把手錠。
【発明の詳細な説明】
【技術分野】
【０００１】
本発明は、把手の開扉方向への押し、または引き操作によりラッチ錠が解錠され、そのまま把手の押し或いは引き操作によって扉が開放されるように構成した、所謂プッシュ・プル式の把手錠に関するもので、殊に把手を３６０°任意の方向または、上下左右、および左右斜め方向に押し、または引き操作してもラッチ錠が解錠され開扉できるようにしたものである。
【背景技術】
【０００２】
従来、この種の把手錠としては、例えば特開２０１０−１８５２６９号公報（特許文献１）が知られている。
【０００３】
上記特許文献１の把手錠では、把手（ハンドル）を、左右の第一回転軸と第二回転軸を支点に揺動するように設けてあり、把手の右側縁、又は、左側縁を引き操作することによってラッチ錠を解錠して開扉できるようにしたものである。
【先行技術文献】
【特許文献】
【０００４】
【特許文献１】特開２０１０−１８５２６９号公報
【発明の概要】
【発明が解決しようとする課題】
【０００５】
しかしながら、上記特許文献１の把手錠では、把手の操作部は把手の右側縁と左側縁の２個所に限定されるものであり、操作方向も引く方向だけに限定されるものであった。
また、把手を操作する場合の回転軸は把手の表面に露出しており把手の意匠性が損なわれるという問題点もあった。
【０００６】
本発明は、上記従来の把手錠のように、把手の操作部や操作方向が左右や引き操作にのみ限定されることなく、操作部は把手の３６０°の範囲の何処でもよいか、または上下左右および左右斜め方向の８方向でもよく、しかもその操作方向は引いても押してもよいようにしたもので、極めて操作性に優れた把手錠を提供することを目的とする。
【０００７】
また、上記従来の把手錠では把手の揺動軸が外部に露出するので、把手の意匠性が損なわれたが、本発明では把手の揺動軸は外部に露出することなく、意匠性に優れた把手錠を提供することを目的とする。
【０００８】
更には、構成部材も少なく極めて簡単な構成であり、操作性や耐久性にも優れた把手錠を安価に提供することを目的とするものである。
【課題を解決するための手段】
【０００９】
次に、上記の課題を解決するための手段を、実施の形態に対応する図面を参照して説明する。
図１〜図７は、本発明の請求項１記載の把手錠であり、扉に設ける座と、この座の前方に設ける把手とを備え、把手の開扉方向への押し又は引き操作によりラッチ錠が解錠され、そのまま把手の押し又は引き操作によって扉が開放されるようにしたプッシュ・プル式の把手錠において、
前記把手１０、２０の背面側には、把手軸３０、４０の後端部３１、４１嵌装用の穴１０Ｂ、２０Ｂを形成した基部１０Ａ、２０Ａが突設してあると共に、前記把手軸３０、４０は、後端部３１、４１から先端部３７、４７に至る棒状体で形成し、
把手軸３０、４０の後端部３１、４１は、把手１０、２０の嵌装用の穴１０Ｂ、２０Ｂに嵌装して把手１０、２０と一体的に固定し、
該把手軸３０、４０の軸線方向の適所には、略球形状または円盤状の膨出部３３、４３の軸部３０Ａ、４０Ａを形成すると共に、
前記座７０、８０の背面側に形成した嵌装凹部７３、８３には、前記把手軸３０、４０の膨出部である軸部３０Ａ、４０Ａを嵌合して保持する第一軸受５０、６０及び第二軸受５８、６８を嵌装してあり、
前記把手軸３０、４０の先端部３７、４７は、ラッチ錠１の錠ケース５内に設けられて、後述する施解錠部材９０である第一作動部材９１と第二作動部材９２とで形成される係合穴９０Ａ内に臨ませてあり、
また、前記施解錠部材９０は、前記第一作動部材９１と、該第一作動部材９１に一体に設けられた第一スライダー９３と、前記第二作動部材９２と、該第二作動部材９２に一体に設けられた第二スライダー９４とで構成され、
把手１０、２０の操作により把手軸３０、４０の先端部３７、４７を作動して、第一作動部材９１と第一スライダー９３、又は第二作動部材９２と第二スライダー９４を摺動することにより、前記第一スライダー９３に係合している第一施錠部材７と第二施錠部材８を係合解除方向へ回転して、両第一施錠部材７と第二施錠部材８の施錠部７Ｃ、８Ｃとラッチ２の係合溝２Ｄ、２Ｄとの係合が解除され、ラッチ錠１が解錠されるようにしてあり、
把手１０、２０と把手軸３０、４０の軸線との交点を中心にして３６０°任意の方向への押し又は引き操作による把手１０、２０の揺動により、前記把手軸３０、４０の先端部３７、４７を傾動してラッチ錠１の作動部材９１、９２を作動して、把手１０、２０が保持部９、９を支点にして３６０°任意の方向に揺動可能に設けられていることを特徴とする。
【００１０】
この把手錠では、把手軸３０，４０の軸線方向の適所に略球形状または円盤状の膨出部の軸部３０Ａ，４０Ａを形成し、該軸部を座７０，８０に設けた軸受５０Ａ，６０Ａに嵌合して保持させることにより、該保持部９を支点にして、把手が３６０°任意の方向に揺動可能となり、該把手の３６０°任意の方向の押し、または引き操作によりラッチ錠１を解錠できる。
【００１１】
図８〜図１１は、本発明の請求項２記載の把手錠であり、扉に設ける座と、この座の前方に設ける把手とを備え、把手の開扉方向への押し又は引き操作によりラッチ錠が解錠され、そのまま把手の押し又は引き操作によって扉が開放されるようにしたプッシュ・プル式の把手錠において、
前記把手１０、２０の背面側には、把手軸３０、４０の後端部３１、４１嵌装用の穴１０Ｂ、２０Ｂを形成した矩形状の基部１０Ａ′、２０Ａ′が突設してあると共に、前記把手軸３０、４０は、後端部３１、４１から先端部３７、４７に至る棒状体で形成し、
把手軸３０、４０の後端部３１、４１は、把手１０、２０の嵌装用の穴１０Ｂ、２０Ｂに嵌装して把手１０、２０と一体的に固定し、
該把手軸３０、４０の軸線方向の適所には、略球形状の膨出部と、該膨出部の中央部に把手軸３０、４０の軸線と直交する方向に設けた断面が矩形状の鍔部３４、４４とを有する軸部３０Ｂ、４０Ｂを形成すると共に、
前記座７０、８０の背面側に形成した嵌装凹部７３、８３には、前記把手軸３０、４０の軸部３０Ｂ、４０Ｂを嵌合して保持する第一軸受５０、６０及び第二軸受５８、６８を嵌装してあり、
前記把手軸３０、４０の先端部３７、４７は、ラッチ錠１の錠ケース５内に設けられて、後述する施解錠部材９０である第一作動部材９１と第二作動部材９２とで形成される係合穴９０Ａ内に臨ませてあり、
また、前記施解錠部材９０は、前記第一作動部材９１と、該第一作動部材９１に一体に設けられた第一スライダー９３と、前記第二作動部材９２と、該第二作動部材９２に一体に設けられた第二スライダー９４とで構成され、
把手１０、２０の操作により把手軸３０、４０の先端部３７、４７を作動して、第一作動部材９１と第一スライダー９３、又は第二作動部材９２と第二スライダー９４を摺動することにより、前記第一スライダー９３に係合している第一施錠部材７と第二施錠部材８を係合解除方向へ回転して、両第一施錠部材７と第二施錠部材８の施錠部７Ｃ、８Ｃとラッチ２の係合溝２Ｄ、２Ｄとの係合が解除され、ラッチ錠１が解錠されるようにしてあり、
前記把手１０、２０と把手軸３０、４０の軸線との交点を中心にして把手の上下、左右あるいは左右の斜め方向への押し又は引き操作による把手１０、２０の揺動により、前記把手軸３０、４０の先端部３７、４７を傾動してラッチ錠１の作動部材９１、９２を作動して、把手１０、２０が保持部９、９を支点にして上下、左右あるいは左右の斜め方向に揺動可能に設けられていることを特徴とする。
【００１２】
この把手錠では、把手軸３０，４０の軸線方向の適所に略球形状の膨出部３３，４３と、該膨出部の中央部に把手軸の軸線と直交する方向に、断面が矩形状の鍔部３４，４４とを有した軸部３０Ｂ，４０Ｂを形成し、該軸部を座７０，８０に設けた軸受５０Ｂ，６０Ｂに嵌合して保持させることにより、該保持部９を支点にして把手が、上下左右および左右斜め方向の８方向に揺動可能となり、該把手の８方向の何れかの方向への押し、または引き操作によりラッチ錠を解錠できる。
【発明の効果】
【００１３】
本発明に係る請求項１記載の把手錠によれば、把手に一体的に設けた把手軸の軸線方向の適所に、略球形状または円盤状の膨出部の軸部を形成し、該軸部を座に設けた軸受に嵌合して保持させることにより、該保持部を支点にして把手が３６０°任意の方向に揺動可能となり、上記把手軸の先端部をラッチ錠の施解錠制御部に係合させ、把手の３６０°任意の方向への押し、または引き操作により、上記把手軸の先端部を傾動してラッチ錠を解錠することができる。従って、把手の操作部や操作方向は何ら限定されないので、極めて操作性に優れる。しかも把手は引くだけの操作だけでなく、押してもまた引いて操作してもラッチ錠を解錠することができるので、操作性に優れる。また、座の把手軸の軸部を保持する保持部は外部に露出しないので意匠性に優れた把手錠を提供できる。更には、合理的な設計により構成も簡単で構成部材も少なくコンパクトであり、全体として安価な把手錠を提供できる。
【００１４】
本発明に係る請求項２記載の把手錠によれば、把手に一体的に設けた把手軸の軸線方向の適所に、略球形状の膨出部と、該膨出部の中央部に把手軸の軸線方向と直交する方向に、断面が矩形状の鍔部とを有した軸部を形成し、該軸部を座に設けた軸受に嵌合して保持させることにより、把手が該保持部を支点にして上下２方向のみならず、左右方向および左右斜め方向の８方向に揺動可能となり、上記把手軸の先端部をラッチ錠の施解錠制御部に係合させ、把手の上下左右および左右斜め方向の８方向への押し、または引き操作によってラッチ錠を解錠することができる。従って、従来の把手錠の如く把手の操作方向は左右の二方向に限定されることがない。また、座の把手軸の軸部を保持する保持部は外部に露出しないので意匠性にも優れる。更には、構成が簡単で構成部材も少なく全体として安価な把手錠を提供できる。
【図面の簡単な説明】
【００１５】
【図１】本発明の把手錠を扉に取り付けた状態で、（ａ）は扉の開放端側から見た正面図、（ｂ）は室外側から見た正面図、（ｃ）は扉の上から見た平面図である。
【図２】ラッチ錠を示し、（ａ）は内部構成図、（ｂ）は（ａ）のＣ−Ｃ’線断面、（ｃ）は（ａ）のＡ−Ａ’線断面図、（ｄ）は（ａ）のＢ−Ｂ’線断面図である。
【図３】ラッチ錠の分解斜視図である。
【図４】第一実施例の把手と座の分解斜視図である。
【図５】第一実施例の閉扉、施錠状態を示す要部横断平面図である。
【図６】同上の要部縦断側面図である。
【図７】第一実施例の把手錠の把手を左右方向に操作した状態を示し、（ａ）は要部横断平面図，（ｂ）はラッチ錠の内部構成図である。
【図８】第二実施例の把手錠の把手と座の分解斜視図である。
【図９】第二実施例の把手錠の閉扉、施錠状態を示す要部横断平面図である。
【図１０】第二実施例の把手を上下方向に操作した状態を示し、（ａ）は要部横断平面図，（ｂ）はラッチ錠の内部構成図である。
【図１１】第二実施例の把手を斜め方向に操作した状態を示し、（ａ）は要部横断平面図，（ｂ）はラッチ錠の内部構成図である。
【発明を実施するための形態】
【００１６】
本発明の把手錠の各構成要素の詳細を図面に基づいて説明する。
（１）まず、ラッチ錠の構成について説明する。
図２は、ラッチ錠１の内部構成を示し、図３は分解斜視図である。該ラッチ錠１は、図２（ａ）の如く、錠ケース５内にラッチ２がバネ２Ｆより突出方向に付勢され、フロント１Ｃから出没自在に設けられている。
【００１７】
ラッチ２は、その断面形状が略菱形の従来公知の反転ラッチであり、図２（ａ）および図３に示すように、バネ２Ｆ，バネガイド２Ｅなどと共にラッチケース３とラッチガイド４内に組み込まれてラッチユニット６を形成し、ラッチユニット６が内ケース５Ａに組み込まれ、この内ケース５Ａを外ケース５Ｂで被蓋して固定する。
【００１８】
ラッチユニット６の構成は、ラッチガイド４とラッチ２の間に設けたバネ２Ｆにより、ラッチ２は突出方向に付勢されている。２Ｅは樹脂性のバネガイドで、バネ２Ｆとラッチ２との当接部に介在されており、該バネガイド２Ｅにより、後述するラッチ２の反転動作がスムーズに行える。
【００１９】
ラッチ２には、図２（ａ）、図３に示されるように、上下に各々２個の突出部２Ｃ，２Ｃが設けてあり、上下の各々の突出部２Ｃ，２Ｃ間にはラッチ２の出没進退方向に沿って係止溝２Ｄ、２Ｄが形成されている。
ラッチ２は、上記上下の突出部２Ｃ，２Ｃがラッチケース３の開口部の側縁３Ａ，３Ａに当接して、それ以上の突出が阻止される。３Ｂ，３Ｂは、上記ラッチ２とラッチケース３との当接部に介在させた当りゴムで、ラッチ２の突出時に発生する作動音を軽減する。
【００２０】
ラッチ２は、閉扉して突出した時は図２（ａ），（ｂ）および図５の姿勢を保持し、図１（ｂ），図５の如く受座１００の受穴１０１に係合する。この状態で、扉にその開扉方向に力が作用すると、ラッチ２の背面部（直線部）２Ｂが受穴１０１の周縁部に当接し、ラッチ２は時計方向への回転力が作用する。
【００２１】
しかし、ラッチ２の前記上下の係止溝２Ｄ，２Ｄには、第一施錠部材７の施錠部７Ｃおよび第二施錠部材８の施錠部８Ｃが係合しており、ラッチ２の反転は阻止される。即ち、ラッチ錠１は施錠状態となっており、この状態で扉に開扉方向の力が作用しても開扉しない。
【００２２】
７は第一施錠部材で、ラッチ２の後方で軸７Ａにより錠ケース５に回転自在に枢支されている。７Ｂはキックバネで、一端をラッチガイド４に他端を第一施錠部材７に掛袈し、第一施錠部材７を常時時計回り方向に付勢している。従って、第一施錠部材７の先端の施錠部７Ｃは、常時ラッチ２の下部の係止溝２Ｄに係合し、後端部７Ｄは、後述の施解錠部９０の第一スライダー９３に係合している。
【００２３】
第一施錠部材７の先端部と後端部の略中央部はコの字状に折り曲げて、上方に延設し、その先端部に連結部７Ｅを突設している。
【００２４】
８は第二施錠部材で、上記第一施錠部材７との対称位置に、軸８Ａで錠ケース５に回転自在に枢支されている。該第二施錠部材８の先端の施錠部８Ｃは、ラッチ２の上部の係止溝２Ｄに係合し、後端部８Ｄは後述の施解錠制御部９０の第二スライダー９４に係合している。該第二施錠部材８の中央部にも、前記第一施錠部材と同様のコの字状の折り曲げ片が形成され、その先端部には連結用の連結溝８Ｆが形成されており、該連結溝８Ｆに前記第一施錠部材７の連結部７Ｅが係合され、第一施錠部材７と第二施錠部材とが連結される。当該連結部７Ｅにより、第二施錠部材８は、第一施錠部材７を時計回り方向に付勢するバネ７Ｂの付勢力により、常時反時計回り方向に付勢される。
【００２５】
９０は、錠ケース５の後端部で上下方向の略中央部に設けられた施解錠制御部で、第一および第二作動部材９１，９２と、第一および第二スライダー９３，９４とより構成されている。第一作動部材９１の上部は平坦部であり、下部は山形の係合部９１Ａが形成されている。図３からも明らかな通り、、上記第一作動部材９１の平坦部に、コの字状の第一スライダー９３の一片がネジで固定され一体化される。第二作動部材９２と第二スライダー９４は、上記第一作動部材９１と第一スライダー９３と同じ形状であり、上記と同様にネジで固定されて一体化される。
【００２６】
第一作動部材９１と第二作動部材９２は、各々の係合部９１Ａと９２Ａが対向するように錠ケース５内に組み込まれ、該係合部９１Ａと係合部９２Ａとにより、略菱形の係合穴９０Ａが形成される。該係合穴９０Ａには、後述の把手１０，２０に固定された把手軸３０，４０の先端部３７，４７が係合する。
【００２７】
上記第一作動部材９１と一体のコの字状の第一スライダー９３の下方の一端の外側は、錠ケース５の下端部に当接させ、内側には前記第一施錠部材７の後端部７Ｄを当接させて係合している。同様に、第二作動部材９２と一体のコの字状の第二スライダー９４の上方の一端の外側は、錠ケース５の上端部に当接させ、内側には前記第二施錠部材８の後端部８Ｄを当接させて係合している。
【００２８】
また、第一作動部材９１と第二作動部材９２とは前記の如く、各々の係合部９１Ａと９２Ａが対向して互いに当接し、図２の（ａ）の状態を安定して保持するようにバネ９５により付勢されている。バネ９５は、コの字状の第一スライダー９３の下方の一端の内側と、コの字状の第二スライダー９４の下方の一端（第二作動部材９２との固定部）との間に掛袈されている。９４Ｂは、第二スライダー９４のバネ９５掛袈部に設けたバネガイドである。
【００２９】
上記のように構成された第一作動部材９１と第一スライダー９３は、バネ９５の付勢力に抗して上方に摺動可能であり、第二作動部材９２と第二スライダー９４は、バネ９５の付勢力に抗して下方に摺動可能である。
なお、上記各作動部材９１，９２およびスライダー９３，９４が上下に摺動する時、安定して作動する為には、スライダー９３，９４にはガイド部９３Ａ，９４Ａが突設され、該ガイド部９３Ａ，９４Ａを錠ケース５のガイド溝（図示せず）に係合させればよい。
【００３０】
後述の把手１０の操作により、把手軸３０を介して第一作動部材９１と第一スライダー９３が上方に摺動すると、第一スライダー９３に係合している第一施錠部材７の後端部７Ｄが上方に押されて、第一施錠部材７はバネ７Ｂの付勢力に抗して反時計方向に回転する。すると、第一施錠部材７の連結部７Ｅにより連結されている第二施錠部材８も同時に時計方向に回転する。
上記の第一施錠部材７と第二施錠部材８の回転により、各施錠部材７，８の施錠部７Ｃ，８Ｃとラッチ２の係合溝２Ｄ，２Ｄとの係合が解除され、ラッチ錠１が解錠される。すると、ラッチ２の反転の阻止が解除されるので、図５の状態で扉に開扉方向の力が作用すると、ラッチ２の背面部２Ｂが受座１００の受穴１０１との当接部に押され、ラッチ２が反転し、直線状の背面部２Ｂが傾き斜面部となる。従って、そのまま扉の開扉方向への力により斜面の作用により、ラッチ２はバネ２Ｆの付勢力に抗して錠ケース５内に後退するので、開扉することができる。
【００３１】
（実施例１）
（２）次に、請求項１記載の第一実施例の把手と座および軸部材などの構成について説明する。
図４は、第一実施例の把手や座などの分解斜視図であり、室外側の把手１０と座７０は把手１０の背面側からの斜視図であり、室内側の把手２０と座８０は把手２０の正面側からの斜視図である。
上記室外側の座７０と室内側の座８０とは、座７０には、座を扉に取り付け固定するための取付柱７６，７６が固着されるのに対し、一方の室内側の座８０には該取付柱７６，７６に対応する位置に、取付ネジ用の穴８４，８４が形成されている点の差異以外同じ構成であり、座７０，８０以外の把手１０，２０や把手軸３０，４０および軸受５０，６０等の構成部材は同じである。従って、以下には、室外側の把手１０と座７０の構成のみを説明する。尚、室内側の各構成部材の、背面側からの斜視図に現れない部分については、正面側からの斜視図が示される室内側の把手２０や座８０などの各構成部材を参照するとよい。
【００３２】
１０は円盤状の把手で、背面側の中央部には円筒状の基部１０Ａが一体的に突設されている。図５からも明らかなように、把手１０には把手軸３０の後端部３１嵌装用の穴１０Ｂが形成されており、該穴１０Ｂの開口端側には大径穴の凹部１０Ｄが形成されている。尚、把手軸３０の後端部３１は、円筒状の軸の両端部にその軸線と平行な平坦部が形成され、上記の把手１０の穴１０Ｂにも該平坦部が嵌合する嵌合穴が形成され、把手軸３０が把手１０の穴１０Ｂに嵌装された状態で、把手軸３０の回り止めとなっている。
上記把手軸３０は、把手１０の穴１０Ｂに嵌装された状態で、把手の基部１０Ａに把手軸３０の軸線方向と直交する方向に形成された穴１０Ｃからネジ１０Ｅを把手軸３０のネジ穴３２にネジ込んで、把手軸３０を把手１０に一体的に固定する。
【００３３】
把手軸３０は、その軸線方向の適所である略中央部には、略球形状の膨出部の軸部３０Ａが形成され、先端部３７は断面が八角形に形成されており、該先端部３７は、前記ラッチ錠１の施解錠制御部９０の係合穴９０Ａに係合される。また、上記軸部３０Ａの先端側の把手軸３０には、上下に平坦部３６，３６が形成されている。該平坦部３６，３６には後述の第一軸受５０のバネ受５６，５６がバネの付勢力により圧接されて、把手軸３０および把手１０を、上記平坦部３６，３６が常に水平状態を保つと共に、把手１０を揺動操作して把手軸１０が傾動した時に、元の状態に復帰させるように付勢している。
【００３４】
７０は円盤状の座で、背面側（扉側）に開口する凹部７５と、後述の第一軸受５０を嵌装する嵌装凹部７３が形成されている。７４，７４はネジ穴で、取付柱７６，７６の端部に形成されたネジ部をネジ込んで、取付柱７６，７６を座７０に一体的に固定する。上記座７０の前面側（把手側）には円錐形の基部７１（室内側の座８０の基部８１と同じ）が形成されると共にフランジ７２（座８０のフランジ穴８２と同じ）が形成されている。
【００３５】
５０は矩形の枠体状に形成された第一軸受で、軸受本体５１を有し、該軸受本体５１の上下にはケース５２，５３が一体に形成されている。該上部のケース５２には上方に開口する空間部５２Ａが形成され、下部のケース５３には下方に開口しない空間部５３Ａが形成されている。該空間部５２Ａ，５３Ａにはバネ受５６，５６とバネ５７，５７が嵌装される。
【００３６】
上記第一軸受５０の軸受本体５１には、前後方向に貫通する小径穴５４と大径穴５５が形成され、両方の穴の境界部には円弧状の軸受部５４Ａが形成されており、該軸受部５４Ａに前記把手軸３０の球形状の膨出部である軸部３０Ａが嵌合して保持される。
【００３７】
５８は第二軸受で、矩形の板状体の鍔部５８Ｃとフランジ５８Ａ（室内側の第二軸受６８のフランジ６８Ａに相当）が形成され、該フランジ５８Ａの内周部には、前記把手軸３０の軸部３０Ａが嵌合する円弧状の軸受部５８Ｂが形成されている。
【００３８】
次に、図４〜図６に基づいて前記の把手１０、把手軸３０、第一，第二軸受５０，５８などの座７０への組み込み方法を説明する。
先ず、座７０のフランジ７２（室内側の座８０のフランジ８２に相当）の内周部に第二軸受５８のフランジ５８Ａを嵌装する。次に、把手軸３０をその後端部３１側から座７０内に挿入する。この時、該把手軸３０の略球形状の膨出部である軸部３０Ａの後端側が、上記第二軸受５８の円弧状の軸受部５８Ｂに当接し、把手軸３０の挿入方向へのそれ以上の移動が阻止される。
【００３９】
次に、座７０の嵌装凹部７３に、バネ受５６，５６とバネ５７，５７が上部および下部のケース５２、５３に嵌装されている第一軸受５０を嵌装する。この時、第一軸受５０の大径穴５５内に前記把手軸３０の軸部３０Ａの最大径部が当接して嵌合されると共に、第一軸受５０の大径穴５５と小径穴５４の境界の円弧状の軸受部５５Ａに軸部３０Ａの先端部（扉側）部分が当接するようにして、軸部３０Ａを保持する。
【００４０】
尚、この時、図６から明らかな通り、上記第一軸受５０に嵌装されたバネ５７，５７で付勢されたバネ受５６，５６の先端部５６Ａ，５６Ａが把手軸３０に形成した上下の平坦部３６，３６に上下から当接し、前記の通り把手軸３０を元の状態に復帰させるためのバネ装置として作用する。
【００４１】
最後に、座７０のカバー７７をネジ７８，７８で座７０のネジ穴７８Ａ，７８Ａにネジ込んで取り付ける。また、座７０の前面側に突出する把手軸３０の後端部３１を把手１０の基部１０Ａに設けられた穴１０Ｂに嵌装し、前記の通り把手１０の基部１０Ａに設けた穴１０Ｃからネジ１０Ｅを把手軸３０のネジ穴３２にネジ込んで把手１０と把手軸３０とを一体的に取付固定する。
【００４２】
上記の如く、把手軸３０は軸部３０Ａが第一軸受５０と第二軸受５８とにより構成される軸受５０Ａに嵌合されて座７０に保持される。
本発明の第一実施例では、把手軸３０の軸部３０Ａが略球形状の膨出部であるので、把手軸３０は、前記保持部９を支点にして、把手と把手軸の軸線との交点を中心に３６０°任意の方向に傾動可能となる。従って、把手軸３０に一体的に固定した把手１０は３６０°任意の方向に揺動操作可能となる。
【００４３】
ところで、室内側の把手２０、把手軸４０、第一軸受６０、第二軸受６８、座８０などの構成部材は、前記の通り室外側の座７０には取付柱７６，７６が固着されるのに対し、室内側の座８０にはネジ７６Ａ，７６Ａの取付穴が設けられている点の違い以外は同じであり、組み込み方法も同じであり、作用も同じであるのでその説明は省略する。（尚、上記室内側の各構成部材にも、対比の為に前記室外側の各構成部材と同等の符号を付してある。）
【００４４】
本発明の把手錠の扉への取り付けは従来の把手錠と同様に、ラッ錠１を扉に取り付け、次に室外側の把手１０付きの座７０に一体の取付柱７６，７６を扉とラッチ錠１とを挿通させて室内側に突出させる。この時、把手軸３０の先端部３７はラッチ錠１の施解錠制御部９０の係合穴９０Ａに係合させる。次に、室内側の把手２０付の座８０を、把手軸４０の先端部４７を上記ラッチ錠１の係合穴９０Ａに係合させて取り付け、座８０の穴８４，８４からネジ７６Ａ，７６Ａを取付柱７６，７６のネジ穴にネジ込んで取り付け固定する。
【００４５】
上記構成の本発明の第一実施例の把手錠の動作を図７に基づいて説明する。
（１）第一実施例で、把手１０の左右方向への操作について
図７（ａ）は要部横断平面図であり、室外側の把手１０の右端部を引いて揺動操作した状態を示し，把手１０に一体の把手軸３０は、該軸部３０Ａが、第一軸受５０と第二軸受５８とにより構成される軸受５０Ａにより保持されている保持部９を支点にして傾動する。
【００４６】
上記把手軸３０の傾動により、図７（ｂ）の如く把手軸３０の先端部３７は、ラッチ錠１の施解錠制御部９０の係合穴９０Ａ内で（元の中心位置から）右方に移動し、第一作動部材９１の斜面部９１Ａ１を押して、第一作動部材９１および第一スライダー９３が上方に摺動する。
また、同時に、把手軸３０の先端部３７は、第二作動部材９２の斜面部９２Ａ１を押して、第二作動部材９２および第二スライダー９４が下方に摺動する。
【００４７】
上記の第一，第二のスライダー９３，９４の上，下方向の摺動により、前記構成のラッチ錠１の第一，第二施錠部材７，８は、その後端部７Ｄ，８Ｄが第一，第二スライダー９３，９４に押されて回動し、その先端部の施錠部７Ｃ，８Ｃとラッチ２の係止溝２Ｄ，２Ｄとの係合が解除されるのでラッチ２の反転が可能となる。即ち、ラッチ錠は解錠される。従って、把手１０の右端部をそのまま開扉方向へ引けば開扉できる。
【００４８】
また、上記とは反対に把手１０の左端部を引いて揺動操作した場合は、上記とは逆に把手軸３０の先端部３７は左方に移動するが、この場合も上記と同様の作用によりラッチ錠１を解錠して、開扉することができる。
【００４９】
上記の通り、室外側の把手１０は左右方向に引いて揺動操作することによって、解錠し開扉できる。ところで、図７（ａ）は外開き扉に使用した場合を示すもので、内開き扉に使用した場合は、室外側の把手１０は、その左端部または右端部を押して揺動操作すればよく、前記と同様に解錠し開扉できる。
【００５０】
一方、室内側の把手２０も上記と同様に、外開き扉の場合は左右方向に押して、また内開き扉の場合は左右方向に引いて把手２０を揺動操作することにより、解錠して開扉できる。
【００５１】
即ち、扉の開き勝手が外開き扉であっても内開き扉であっても、従来の把手錠の如く座や把手を室外側と室内側とに取り替える必要もなくそのまま対応できる。
【００５２】
ところで、図示する本発明の第一実施例の把手錠では、把手軸３０の軸部３０Ａは略球形状の膨出部であるので、該軸部３０Ａが軸受５０Ａにより保持される保持部９を支点にして、３６０°任意の方向への傾動が可能であり、把手１０は３６０°任意の方向への揺動操作が可能である。
該把手１０の３６０°任意の方向への揺動操作による把手軸３０の傾動により、ラッチ錠１を解錠できることは、後述の第二実施例での把手１０の前記左右方向のみならず上下方向および斜め方向への操作の動作説明などから容易に理解することができるので、ここではその説明を省略する。
【００５３】
尚、把手軸３０の軸部３０Ａは上記の略球形状の膨出部に限られず、例えば図示しないが、円盤状の膨出部である軸部であっても、上記略球形状の膨出部である軸部３０Ａと同様の作用を有し、把手１０の３６０°任意の方向への揺動操作が可能となる。
【００５４】
（実施例２）
次に、図８〜図１１に基づいて第二実施例の把手錠について説明する。
図８は、第二実施例の把手錠の把手１０，２０、把手軸３０，４０、座７０，８０の分解斜視図である。この第二実施例の前記第一実施例との違いは、把手軸３０，４０の軸部３０Ｂ、４０Ｂの形状が前記第一実施例の軸部３０Ａ、４０Ａと異なる点と、把手１０、２０の基部１０Ａ，２０Ａおよび座７０，８０の基部７１，８１との形状が異なる点であり、その他の構成や構成部材は前記第一実施例と同じであるので、その相違点のみについて以下に説明する。
【００５５】
また、室外側の把手１０および座７０と室内側の把手２０および座８０との違いは、前記第一実施例の場合と同様であるので、第二実施例についても室外側の構成部材についてのみ説明する。
【００５６】
第二実施例の把手軸３０の軸部３０Ｂは、把手軸３０の軸線方向の略中央部に、略球形状の膨出部３３，３３と、該膨出部３３，３３の中央部に把手軸３０の軸線と直交する方向に断面が矩形状の鍔部３４が形成されている。
【００５７】
該軸部３０Ｂは、図９の如く、座７０内に嵌装された第一軸受５０と第二軸受５８とにより構成される軸受５０Ｂに嵌合して保持され、該保持部９を支点にして把手軸３０が傾動可能となっている。
この場合、上記軸部３０Ｂの矩形状の鍔部３４により規制され、把手軸３０は鍔部３４の上下２方向のみならず、左右および対角線の左右の斜め方向への８方向への傾動が可能となり、把手１０は上記８方向への揺動操作が可能となる。
【００５８】
上記把手１０の８方向への操作に合わせて、把手１０の基部１０Ａ’と、該基部１０Ａ’に形成された凹部１０Ｄ’は矩形状に形成され、該凹部１０Ｄ’に嵌装される座７０の基部７１’（室内側の座８０の基部８１’に相当）も矩形状に形成される。
【００５９】
上記構成よりなる第二実施例の把手錠の作用を、以下に説明する。
（１）把手１０の左右方向への操作について
例えば、把手１０の右端部を引いて操作した場合は、前記の第１実施例の図７の場合と同様に、把手軸３０の軸部３０Ｂが軸受５０Ｂに嵌合して保持された保持部９を支点にして、傾動し、先端部３７が右方向に移動してラッチ錠１の施解錠制御部９０の第一，第二作動部材９１，９２を上下に摺動させることにより、ラッチ錠を解錠する。
【００６０】
（２）把手１０の上下方向への操作について
図１０は、把手１０の上端部を引いて操作した場合を示すもので、（ａ）は把手錠の要部縦断側面図で、（ｂ）はその時のラッチ錠１の内部の構造図である。
上記把手１０の上下方向の揺動操作により、把手１０は把手軸３０の軸部３０Ｂが、第一軸受５０と第二軸受５８とにより構成される軸受５０Ｂによる保持部９を支点にして揺動し、把手軸３０が傾動し把手軸３０の先端部３７が、上方に移動してラッチ錠１の第一作動部材９１を介して第一スライダー９３を上方に摺動させる。
【００６１】
該第一スライダー９３の上動により、該第一スライダー９３に係合する第一施錠部材７の後端部７Ｄが押されて、第一施錠部材７は反時計方向に回動する。第一施錠部材が回動すると、その連結部７Ｅと連結溝８Ｆとにより連結されている第二施錠部材８は時計方向に回動され、各施錠部材７，８の先端の施錠部７Ｃ，８Ｃとラッチ２の係止溝２Ｄ，２Ｄとの係合が解除され、ラッチ錠１は解錠される。
【００６２】
図１０とは逆に、把手１０の下端部を引いて操作した場合は、上記把手は逆に、把手軸３０の先端部３７は下動し、ラッチ錠１の第二作動部材９２を介して第二スライダー９４を下方に摺動させ、該第二スライダー９４に係合する第二施錠部材８の後端部８Ｄを押して、第二施錠部材８を時計方向に回動させる。
第二施錠部材８が回動すると、上記の通り、連結されている第一施錠部材７も回動され、ラッチ錠１が解錠される。
【００６３】
尚、上記は外開き扉の場合で、把手１０を引いて操作したが、内開き扉の場合は押して操作すればよい。
即ち、把手１０を上下方向に押し、または引いて揺動操作することによって解錠、開扉できる。
【００６４】
（３）把手１０の斜め方向への操作について
図１１は、把手１０の右斜め（約４５°）方向の上端部を引いて把手１０を揺動操作した場合を示し、該把手１０の揺動操作により把手軸３０は傾動し、先端部３７は右斜め（約４５°）方向に移動する。
該先端部３７の右斜め方向への移動により、先端部３７の右斜め方向の上部が、第一作動部材９１の斜面部９１Ａ１を右斜め方向に押し上げ、第一作動部材９１および第一スライダー９３が上方に摺動する。
【００６５】
該第一スライダー９３の上動により、前記と同様に第一施錠部材７が回動され、連結されている第二施錠部材８も回動してラッチ錠が解錠される。
【００６６】
尚、上記とは逆に、把手１０の左斜め（４５°）方向の下端部を引いて把手１０を揺動操作した場合は、把手軸３０の先端部３７は図１１とは逆に左斜め（４５°）下方向に移動し、上記とは逆に、第二作動部材９２を介して第二スライダー９４を下方に摺動させて、第二施錠部材８および第一施錠部材７を回動してラッチ錠を解錠することができる。
【００６７】
上記の通り、第二実施例では、把手１０を上下，左右および左右斜め方向の８方向へ押し、または引いて揺動操作することによりラッチ錠１を解錠して開扉することができる。
尚、室内側の把手側の把手２０の操作も同様である。
【００６８】
前記第一実施例では、把手軸３０の軸部３０Ａは球形の膨出部であるので、把手１０は３６０°任意の方向に操作可能であったが、把手１０は把手軸３０の軸線を回転軸に回転可能であるため、把手１０は正面から見て回転対称な円形に限られた。しかしながら、第二実施例では把手軸３０の軸部３０Ｂの中央部に設けられた矩形の鍔部３４により、上記の通り把手１０の操作方向は、上下２方向のみならず、左右および左右斜めの８方向に限られるが、把手１０は鍔部３４により、把手軸３０の軸線を回転軸にして回転はしないので、把手１０の形状は正面から見て円形のものに限られることなく、矩形状のものやその他楕円形のものなど種々選ぶことができる。
【００６９】
（変形例など）
前記両実施例の把手軸３０の先端部３７の断面形状は、図７（ｂ）や図１０（ｂ）に示されるように八角形状に形成し、該先端部３７が当接する第一，第二作動部材９１，９２の係合穴９０Ａは上記先端部３７の断面形状の八角形に沿って当接するように略菱形に形成したが、それに限られることなく例えば、把手軸３０の先端部３７の断面形状を円形に形成し、係合穴９０Ａも円形に形成してもよく、その他任意の形状に形成することができる。
【００７０】
その他、前記両実施例では、ラッチ錠１の施解錠制御部９０の第一，第二作動部材９１，９２および第一，第二スライダー９３，９４は上下方向に摺動する構成を示したが、左右方向に摺動する構成のものでもよい。
【符号の説明】
【００７１】
１    ラッチ錠
２    ラッチ
５    錠ケース
７    第一施錠部材
７Ｃ  施錠部
８    第二施錠部材
８Ｃ  施錠部
９    保持部
１０，２０  把手
３０，４０  把手軸
３０Ａ，４０Ａ  軸部（第一実施例）
３０Ｂ，４０Ｂ  軸部（第二実施例）
３３，４３  球形の膨出部
３４，４４  鍔部
３７，４７  先端部
５０，６０  第一軸受
５０Ａ，６０Ａ  軸受
５０Ｂ，６０Ｂ  軸受
５８，６８  第二軸受
７０，８０  座
９０    施解錠制御部
９０Ａ  係合穴
９１    第一作動部材
９２    第二作動部材
９３    第一スライダー
９４    第二スライダー
【図１】
0005950526.tif 000002
【図２】
0005950526.tif 000003
【図３】
0005950526.tif 000004
【図４】
0005950526.tif 000005
【図５】
0005950526.tif 000006
【図６】
0005950526.tif 000007
【図７】
0005950526.tif 000008
【図８】
0005950526.tif 000009
【図９】
0005950526.tif 000010
【図１０】
0005950526.tif 000011
【図１１】
0005950526.tif 000012